(57)【要約】【課題】継手管にフィルタ装着部を有するストレーナ装置を、温水循環路等の配管のうちの所定箇所における上流側配管端部と下流側配管端部との間にネジ手段によって連結するにあたって、フィルタ装着部を所望とする向きとして、簡単かつ確実に連結できるようにする。【解決手段】上流側配管と下流側配管とに接続される各配管接続口５２ａ，５２ｂに雄ネジ７１を設けておき、配管３１２側の接続端部にフレア加工を施して、配管３１２のフレア部３１３ａ，３１３ｂと各配管接続口５２ａ，５２ｂとをフレアナット３１４ａ，３１４ｂを介して直に接続する。【選択図】図２
2015169226.tif 000002
【特許請求の範囲】
【請求項１】
ゴミや不純物等の異物を捕捉するフィルタが設けられているストレーナ装置の継手管を、液体流路としての配管の所定箇所における上流側の配管端部と下流側の配管端部との間に接続するストレーナ装置の配管接続構造において、
上記継手管の上記各配管端部に連結される両端の配管接続口の外周には雄ネジがそれぞれ形成されており、上記各配管端部の端部には拡径されたフレア部が設けられており、上記継手管の各配管接続口が上記雄ネジと螺合する雌ネジを有するフレアナット介して上記各配管端部の端部に連結されることを特徴とするストレーナ装置の配管接続構造。
【請求項２】
ヒートポンプユニットと、上記ヒートポンプユニットを熱源として加熱された温水が循環する温水循環路を有する温水ユニットと、上記温水循環路の一部に含まれる放熱回路を有する暖房ユニットとを備えている温水暖房装置において、
上記温水循環路内に、請求項１に記載のストレーナ装置の配管接続構造が組み込まれていることを特徴とする温水暖房装置。
【発明の詳細な説明】
【技術分野】
【０００１】
本発明は、温水ユニットにおける温水循環路内の循環水に含まれているゴミや不純物等の異物を取り除くストレーナ装置の配管接続構造に関し、さらに詳しく言えば、フィルタを着脱するフィルタ装着部を所望の向きに配管に接続し得るストレーナ装置の配管接続構造に関する。
【背景技術】
【０００２】
最近では、石油やガスなどの化石燃料を使用する燃焼系の温水暖房装置に代えて、ヒートポンプユニットを熱源とする温水暖房装置が提案されている。その一例として、例えば特許文献１には、ヒートポンプユニットを熱源とし、水−冷媒熱交換器を介して温水ユニットとの間で熱交換することで温水を生成して、その温水を温水循環路内に循環させて給湯用タンクや床暖房器で放熱するヒートポンプ式温水暖房装置が提案されている。
【０００３】
特許文献１に記載のヒートポンプ式温水暖房装置によれば、ヒートポンプユニットを熱源としているため、火災などの事故が起きにくく、ＣＯ２排出量も少ないため地球環境にも優しい。また、ヒートポンプユニットの駆動制御が細かく設定できるため、温水の設定温度を低温から高温まで幅広く設定することができる。
【０００４】
ところで、この種の温水暖房装置には、循環水中のゴミや不純物等の異物を除去するためのストレーナ装置が温水循環路内に取り付けられており、その一例を図３に示し、これについて説明する。
【０００５】
このストレーナ装置１は、両端に接続口２，３を有する継手管１ａを備え、接続口２，３を介して温水循環路の配管６に含まれる上流側の配管端部６ａと下流側の配管端部６ｂとの間に接続される。接続口２，３を結ぶ継手管１ａの流路４内に、メッシュスクリーンを円筒状に形成した網目フィルタ５が配置されている（例えば、特許文献２参照）。
【０００６】
継手管１ａには、網目フィルタ用のフィルタ装着部８が設けられている。この場合、フィルタ装着部８は、網目フィルタ５を、その上端側の開口部が接続口２の流入側を向くように傾けて配置するため、継手管１ａから斜め方向に一体として引き出されている。
【０００７】
また、フィルタ装着部８の開口部には、蓋板８ａが水密的にネジ嵌合されている。網目フィルタ５は、蓋板８ａに支持されており、蓋板８ａを介して継手管１ａに着脱可能になっている。
【０００８】
このストレーナ装置１によれば、網目フィルタ５にて温水循環路の配管６内を流れる異物が捕捉される。また、必要に応じて網目フィルタ５を取り外して、溜まったゴミを清掃することができる。
【０００９】
ところで、継手管１ａの接続口２，３は、配管端部６ａ，６ｂの各端部に雌雄螺合によるネジ手段によって連結されるが、特許文献２の図１等にも示されているように、接続口２，３側には、雄雌のうちの雌ネジ９ａが形成されている。
【００１０】
そのため、継手管１ａを配管端部６ａ，６ｂに接続するにあたって、配管端部６ａ，６ｂの各端部に雄ネジ９ｂを有するニップル７を溶接し、雄ネジ９ｂの周りに水漏れ防止のシールテープを巻き付けてから、雌ネジ９ａと雄ネジ９ｂとを強固に螺着するようにしている。
【００１１】
その際、配管端部６ａ，６ｂ側は温水循環路に含まれ、例えば温水ユニットのフレーム等に固定されており、配管端部６ａ，６ｂ側を回すことが困難であることから、接続口２，３にニップル７，７をはめ込んで、継手管１ａ側を回すようにしている。
【００１２】
しかしながら、シールテープの巻数等によって、継手管１ａの締付回数が異なるため、最終的な締め付け完了時に、フィルタ装着部８が継手管１ａの軸回りのどの位置に位置するか定かでない。例えば、フィルタ装着部８がメンテナンスし難い方向を向いてしまうこともある。
【００１３】
そのため、最終的な締め付け完了位置で、フィルタ装着部８が所望とする方向に向くようにすることが困難であった。
【先行技術文献】
【特許文献】
【００１４】
【特許文献１】特開２０１３−１８５８０３号公報
【特許文献２】特開２０１０−２７９８８７号公報
【発明の概要】
【発明が解決しようとする課題】
【００１５】
そこで、本発明の課題は、継手管にフィルタ装着部を有するストレーナ装置を、温水循環路等の配管のうちの所定箇所における上流側配管端部と下流側配管端部との間にネジ手段によって連結するにあたって、フィルタ装着部を所望の向きに簡単かつ確実に連結できるようにすることにある。
【課題を解決するための手段】
【００１６】
上述した課題を解決するため、本発明は、ゴミや不純物等の異物を捕捉するフィルタが設けられているストレーナ装置の継手管を、液体流路としての配管の所定箇所における上流側の配管端部と下流側の配管端部との間に接続するストレーナ装置の配管接続構造において、上記継手管の上記各配管端部に連結される両端の配管接続口の外周には雄ネジがそれぞれ形成されており、上記各配管端部の端部には拡径されたフレア部が設けられており、上記継手管の各配管接続口が上記雄ネジと螺合する雌ネジを有するフレアナット介して上記各配管端部の端部に連結されることを特徴としている。
【００１７】
本発明には、上記ストレーナ装置を備えた温水暖房装置も含まれる。すなわち、本発明の温水暖房装置は、ヒートポンプユニットと、上記ヒートポンプユニットを熱源として加熱された温水が循環する温水循環路を有する温水ユニットと、上記温水循環路の一部に含まれる放熱回路を有する暖房ユニットとを備えている温水暖房装置において、上記温水循環路内に、上記ストレーナ装置の配管接続構造が組み込まれていることを特徴としている。
【発明の効果】
【００１８】
本発明によれば、継手管側の配管接続口に雄ネジを形成し、配管端部の端部には拡径されたフレア部を設け、上記雄ネジと螺合する雌ネジを有するフレアナット介して継手管の配管接続口を配管端部の端部に連結するようにしたことにより、継手管側を回すことなく、継手管を配管端部に簡単かつ確実に連結することができる。したがって、継手管に設けられているフィルタ装着部を所望の向きに向け、簡単かつ確実に継手管を配管端部に連結することができる。
【図面の簡単な説明】
【００１９】
【図１】本発明の実施形態に係るストレーナ装置の配管接続構造を備えた温水暖房装置の構成を示すブロック図。
【図２】本発明のストレーナ装置の配管接続構造を模式的に示した断面図およびフレア部の部分拡大図。
【図３】従来のストレーナ装置の配管接続構造を模式的に示した断面図。
【発明を実施するための形態】
【００２０】
次に、図１および図２により、本発明の実施形態について説明するが、本発明はこれに限定されるものではない。
【００２１】
図１に示すように、この実施形態に係る温水暖房装置１０は、ヒートポンプユニット２０と、ヒートポンプユニット２０を熱源とする温水ユニット３０と、利用側の暖房端末を備えた暖房ユニット４０とを備えている。
【００２２】
ヒートポンプユニット２０は、冷媒を圧縮する圧縮機２１、凝縮器２２、膨張弁２３および蒸発器２４を備え、それらを冷媒配管２５で接続した冷媒回路を有している。
【００２３】
ヒートポンプユニット２０は、四方弁を備えた冷房と暖房の切換が可能な可逆サイクル方式であってもよいが、本発明において、ヒートポンプユニット２０は、暖房用の熱源として用いるため、可逆サイクルのため四方弁は特に必要としない。したがって、温水ユニット３０の循環水を生成する熱源となりうる最小限の機能を備えていればよく、各構成要素の具体的な構成は、仕様に応じて任意に選定されてよい。
【００２４】
ヒートポンプユニット２０と温水ユニット３０との間には、ヒートポンプユニット２０を流れる冷媒と、温水ユニット３０を流れる熱媒体としての流体である水とを熱交換する熱交換器６０が設けられている。
【００２５】
熱交換器６０は、水−冷媒熱交換器であって、この実施形態において、温水ユニット３０の温水循環路３１の一部分に設けられている所定容積の循環水用のタンク６１内に凝縮器２２が収納され、タンク６１内で循環水が凝縮器２２により加熱されて温水が生成される。なお、図示しないが、熱交換器６０を例えば二重管熱交換器としてもよい。
【００２６】
温水ユニット３０は、熱交換器６０で生成された温水が循環する温水循環路３１を備えている。温水循環路３１は、往路側（温水送出側）の温水接続口３１ａと復路側（温水戻り側）の温水接続口３１ｂを介して暖房ユニット４０側の放熱回路４１と接続される。
【００２７】
このように、温水循環路３１の一部に、暖房ユニット４０側の放熱回路４１が含まれるが、以下の説明において、温水循環路３１と放熱回路４１を特に区別する必要がない場合には、放熱回路４１を含めて温水循環路３１と言う。
【００２８】
温水循環路３１のうちの熱交換器６０と温水接続口３１ａとの間の往路側配管３１１には、熱交換器６０で生成された温水をさらに加熱する補助ヒータ装置３２を備えている。補助ヒータ装置３２は、上部側に温水流入口３２ｂ、下部側に温水流出口３２ｃを有する筒状ケーシング３２ａを備え、図示しないが、筒状ケーシング３２ａ内には、補助用電気ヒータが収納されている。
【００２９】
補助ヒータ装置３２は、熱交換器６０にて生成された循環水の温度が所定温度に達していない場合に、図示しない給電電源から補助用電気ヒータに通電され、循環水の温度を所定温度にまで高める。なお、補助用電気ヒータへの通電制御は、温水ユニット３０に設けられている図示しない制御部（ＣＰＵ）によって行われる。
【００３０】
補助ヒータ装置３２には、空気抜き弁３３が取り付けられている。空気抜き弁３３は、補助ヒータ装置３２内に溜まった空気を大気中に放出するため、補助ヒータ装置３２の上端に取り付けられている。
【００３１】
温水循環路３１のうちの温水接続口３１ｂと熱交換器６０との復路側配管３１２には、ストレーナ装置５０、圧力計３５、膨張タンク３６、圧力安全弁３７、給排水弁３８および循環ポンプ３９がそれぞれ配置されている。
【００３２】
圧力計３５は、温水循環路３１内の管内圧力を測定するために用いられる。圧力計３５の測定データは、制御部に送られる。
【００３３】
膨張タンク３６は、水の熱膨張を吸収するタンクである。圧力安全弁３７は、循環水が沸騰するなどして温水循環路３１内の管圧が規定値以上となった際に、管破裂を防ぐために強制的に温水循環路３１を外気に開放するリリーフバルブである。
【００３４】
給排水弁３８は、温水循環路３１内に水を注水したり、温水循環路３１内の水を抜き取るために設けられており、その先端には、水道管などに接続されるニップルと開閉コック（ともに図示しない）が設けられている
【００３５】
循環ポンプ３９は、温水循環路３１内の循環水を一方向（この実施形態では時計回り）に循環させるためのポンプであって、上記制御部により、その駆動が制御される。
【００３６】
暖房ユニット４０は、往路側の温水接続口３１ａと復路側の温水接続口３１ｂとを介して、温水ユニット３０側の温水循環路３１に接続される放熱回路４１を備えている。放熱回路４１には、熱源の利用側としての暖房端末４２が設けられている。暖房端末４２は、例えば床暖房装置やラジエータ、ファンコンベクタなどであってよい。
【００３７】
本発明の特徴は、ストレーナ装置５０の配管接続構造にある。図２に示すように、ストレーナ装置５０は、例えば黄銅などの鋳造品からなる円筒状の継手管５１と、継手管５１に着脱自在に取り付けられるフィルタユニット５２とを備えている。
【００３８】
なお、この実施形態において、図１に示すように、継手管５１は、復路側配管３１２おける例えば温水接続口３１ｂと圧力計３５との間の配管部分に介装されているが、これ以外の配管部分に介装されてもよい。往路側配管３１１側の配管部分であってもよい。
【００３９】
継手管５１の両端には、上流側の配管端部３１２ａに接続される配管接続口５１ａと、下流側の配管端部３１２ｂに接続される配管接続口５１ｂとが設けられており、それらの間に循環水が流れる流路５１ｃが形成されている。これにより、継手管５１内の流路５１ｃには、温水循環路３１内の循環水が図２に示す矢印方向（右から左）に流れる。
【００４０】
継手管５１には、フィルタユニット５２を継手管５１の流路５１ｃ内に導き入れるためのフィルタ装着部５３が設けられている。フィルタ装着部５３は、継手管５１の管壁から循環水の流れ方向に沿って斜め方向に一体として引き出された傾斜管部５３１と、傾斜管部５３１よりも下流側で継手管５１の管壁からほぼ垂直に一体として引き出された垂直管部５３２とを含む、軸線が傾けられた分岐管状に形成されている。
【００４１】
この実施形態において、フィルタユニット５２は、筒状に形成された網目フィルタ５５を備え、上流側の配管端部３１２ａ（一方の接続口５１ａ）側から流入する循環水が、網目フィルタ５５の上端開口部５５１から網目フィルタ５５内に流れるように、傾斜管部５３１に沿って継手管５１内に配置される。網目フィルタ５５には、循環水に含まれているゴミや不純物等の異物を捕捉し得る目の細かなメッシュ番手が適宜選択される。
【００４２】
なお、継手管５１のフィルタ装着部５３とは反対側の管壁には、網目フィルタ５５を継手管５１内に配置した際、その上端開口部５５１の角部が当接するように凹まされた湾曲凹部５１１が設けられ、これにより、循環水の多くが網目フィルタ５５内を通るようにしている。
【００４３】
フィルタ装着部５３の開口部には、蓋板５４が例えば水密的なネジ嵌合等により着脱自在に取り付けられており、この蓋板５４に、フィルタユニット５２の網目フィルタ５５が支持されている。すなわち、フィルタユニット５２は、蓋板５４を介して継手管５１に着脱可能である。
【００４４】
この実施形態によると、配管接続口５１ａ，５１ｂの外周面には、それぞれ雄ネジ７１が形成されている。なお、雄ネジ７１のピッチやネジ山数等は、仕様に応じて任意に変更されてよい。
【００４５】
これに対して、配管端部３１２ａ，３１２ｂの各先端には、好ましくは円錐状に拡径されたフレア部３１３ａ，３１３ｂが形成されている。
【００４６】
また、配管接続口５１ａ，５１ｂと、配管端部３１２ａ，３１２ｂとを連結する連結手段として、上記雄ネジ７１と螺合する雌ネジ７２を有するフレアナット３１４ａ，３１４ｂが用いられる。
【００４７】
継手管５１を往路側配管３１２の配管端部３１２ａ，３１２ｂの間に取り付けるにあたっては、まず、配管端部３１２ａ，３１２ｂのフレア部３１３ａ，３１３ｂにシールパッキン３１５を配置するとともに、配管端部３１２ａ，３１２ｂにフレアナット３１４ａ，３１４ｂを挿入しておく。
【００４８】
そして、配管接続口５１ａ，５１ｂの各雄ネジ７１の周りに図示しない漏水防止用のシールテープを所定周回巻き付けたのち、配管接続口５１ａ，５１ｂを、配管端部３１２ａ，３１２ｂのフレア部３１３ａ，３１３ｂを突き合わせ、フレアナット３１４ａ，３１４ｂの各雌ネジ７２を配管接続口５１ａ，５１ｂの各雄ネジ７１にねじ込む。
【００４９】
本発明によれば、このようにして、継手管５１側を回すことなく、したがってフィルタ装着部５３を所望とする向きとした状態で、継手管５１を配管端部３１２ａ，３１２ｂの間に強固に連結することができる。
【００５０】
なお、上記実施形態では、配管接続口５１ａ，５１ｂに対して、一方の配管接続口５１ａ側と他方の配管接続口５１ｂ側とをほぼ同時に連結するようにしているが、いずれか一方の連結を先に行い、その後に、他方を連結するようにしてもよいことは勿論である。
【符号の説明】
【００５１】
１０  温水暖房装置
２０  ヒートポンプユニット
２１  圧縮機
２２  凝縮器
２３  膨張弁
２４  蒸発器
３０  温水ユニット
３１  温水循環路
３１１  往路側配管
３１２  復路側配管
３１２ａ，３１２ｂ  配管端部
３１３ａ，３１３ｂ  フレア部
３１４ａ，３１４ｂ  フレアナット
３１５  パッキン
３２  補助ヒータ装置
３３  空気抜き弁
３５  圧力計
３６  膨張タンク
３７  圧力安全弁
３８  給排水弁
３９  循環ポンプ
４０  暖房ユニット
４１  放熱回路
４２  暖房端末
５０  ストレーナ装置
５１  継手管
５１ａ  上流側配管接続口
５１ｂ  下流側配管接続口
５１ｃ  流路
５２  フィルタユニット
５３  フィルタ装着部
５４  蓋部
５５  網目フィルタ
６０  熱交換器
【図１】
2015169226.tif 000003
【図２】
2015169226.tif 000004
【図３】
2015169226.tif 000005